(57)【要約】      （修正有）【課題】ロックの解除に鍵が不要なアルミサッシ窓のストッパーを提供する。【解決手段】台座体１０と、係止部材２０と、押し部材３０と、ロック部材４０とによって構成する。台座体の中央には収容部１１が設けられ、収容部の隣には、収容部と連通する溝孔１２が設けられ、台座体の溝孔の底部の板体には、相互に連通する直線溝１３と円溝１４が設けられる。係止部材は、台座体の収容部内に枢設される。押し部材は、台座体の溝孔内に設けられ、押し部材には穿孔３２が設けられ、押し部材内の穿孔の下方には一対の弾性リブ３３が設けられる。ロック部材は、押し部材の穿孔内に設けられ、ロック部材の底側は延伸して円柱体４１を形成し、円柱体の底端には、直線溝と円溝の間をスライドして移動するためのフラット部４３が設けられる。【選択図】図１
0003161724.tif 000002
【実用新案登録請求の範囲】
【請求項１】
台座体と、係止部材と、押し部材と、ロック部材とによって構成するアルミサッシ窓のストッパーにおいて、
台座体の中央には収容部が設けられ、収容部の隣には、収容部と連通する溝孔が設けられ、台座体の溝孔の底部の板体には、相互に連通する直線溝と円溝が設けられ、
係止部材は、台座体の収容部内に枢設され、
押し部材は、台座体の溝孔内に設けられ、押し部材には穿孔が設けられ、押し部材内の穿孔の下方には一対の弾性リブが設けられ、
ロック部材は、押し部材の穿孔内に設けられ、ロック部材の底側は延伸して円柱体を形成し、円柱体の底端には、直線溝と円溝の間をスライドして移動するためのフラット部が設けられることを特徴とするアルミサッシ窓のストッパー。
【請求項２】
該ロック部材の円柱体の底部には固定部材が設けられることとを特徴とする、請求項１に記載のアルミサッシ窓のストッパー。
【請求項３】
該ロック部材の円柱体の底部に設けられた固定部材の周縁には、傾斜した凸縁が設けられることを特徴とする、請求項２に記載のアルミサッシ窓のストッパー。
【請求項４】
該ロック部材の円柱体の上方には挟溝が設けられ、挟溝は、該押し部材内に設けられた弾性リブに挟まれることを特徴とする、請求項１に記載のアルミサッシ窓のストッパー。
【請求項５】
該押し部材の頂部には粗い表面をもつ凸ブロックが設けられることを特徴とする、請求項１に記載のアルミサッシ窓のストッパー。
【請求項６】
該押し部材の後方には凸柱が設けられ、凸柱にはバネが設けられることを特徴とする、請求項１に記載のアルミサッシ窓のストッパー。
【請求項７】
該係止部材の両側面には、貫通した枢設孔が設けられ、該係止部材は、枢設部材によって該台座体の収容部内に枢設され、該係止部材の一端は、該収容部内から起き上がったり収容部内に収容されたりする係止側であり、他端は当接側であることを特徴とする、請求項１に記載のアルミサッシ窓のストッパー。
【請求項８】
該係止部材の当接側の表面には粗い表面が設けられることを特徴とする、請求項７に記載のアルミサッシ窓のストッパー。
【請求項９】
該係止部材の当接側の端部には嵌合溝が設けられ、該押し部材の前端の下縁には突起部材が設けられ、該押し部材の上縁には斜面ブロックが設けられることを特徴とする、請求項７に記載のアルミサッシ窓のストッパー。
【請求項１０】
該係止部材底面にはコイルスプリングが設けられ、枢設部材によって該係止部材を収容部内に枢設する際に、コイルスプリングも一緒に収容部内に枢設され、該台座体の底部には底板が連結されることを特徴とする、請求項１に記載のアルミサッシ窓のストッパー。
【請求項１１】
該係止部材の係止側の底部には弾性体収容溝が設けられ、弾性体収容溝にはバネが設けられ、該台座体の底部には底板が連結されることを特徴とする、請求項７に記載のアルミサッシ窓のストッパー。
【請求項１２】
該係止部材の当接側の底部には弾性体収容溝が設けられ、弾性体収容溝にはバネが設けられ、該台座体の底部には底板が連結されることを特徴とする、請求項７に記載のアルミサッシ窓のストッパー。
【請求項１３】
該係止部材底面にはコイルスプリングが設けられ、枢設部材によって該係止部材を収容部内に枢設する際に、コイルスプリングも一緒に収容部内に枢設され、コイルスプリングの両側の脚部は、台座体の側壁の孔に枢設されることを特徴とする、請求項１に記載のアルミサッシ窓のストッパー。
【請求項１４】
該係止部材の係止側の底部には当接部が設けられ、当接部の末端は傾斜平面を形成することを特徴とする、請求項７に記載のアルミサッシ窓のストッパー。
【請求項１５】
該係止部材の当接側の端部には二本の支持棒が設けられ、該押し部材の前端の底縁には斜面が設けられることを特徴とする、請求項７に記載のアルミサッシ窓のストッパー。
【請求項１６】
該係止部材の当接側の端部には嵌合溝が設けられ、該押し部材の前端の底縁には、嵌合溝に嵌合される突起部材が設けられることを特徴とする、請求項７に記載のアルミサッシ窓のストッパー。
【請求項１７】
該係止部材の端部の支持棒には係止溝が設けられ、該押し部材の前端の下縁には斜面が設けられ、斜面には突出した係止部が設けられることを特徴とする、請求項１に記載のアルミサッシ窓のストッパー。  
【請求項１８】
該押し部材の端部の上縁には嵌合溝が設けられ、嵌合溝には、該係止部材の支持棒が嵌合されることを特徴とする、請求項１に記載のアルミサッシ窓のストッパー。
【考案の詳細な説明】
【技術分野】
【０００１】
本考案はアルミサッシ窓のストッパーに関する。
【背景技術】
【０００２】
現在、アルミサッシ窓は建築物に幅広く使用されているが、窓を開けた時の安全性を考慮し、窓の外に鉄やアルミの格子が設けられることが多い。それにより、子供が転落するのを防ぐことができるものの、火災が発生した時に逃げられなくなったり、消防員が入って来られなくなったりするなど安全性に問題をかかえている。しかも、多くの高級住宅は、建築物の外観を維持しなければならないという規約の制限があるため、窓に鉄格子を設けることができないことがある。従って、通常は、アルミサッシ窓にストッパーをつけることで、外窓サッシを開ける距離を制限し、開きすぎた窓から子供が転落するのを防いでいる。台湾特許第Ｉ２８６５８６号に開示されている「アルミサッシ窓のストッパー」は、台座体と、少なくとも一つのロック部材と、少なくとも一つの弾性係止部材とによって構成する。その内、台座体には、該弾性係止部材を収納するための収容部が設けられるとともに、該収容部の一側には該ロック部材が取り付けられ、ロック部材を利用することにより、収容部内から起き上がらせた或いは収容部内に収納させた弾性係止部材をロックすることができる。弾性係止部材を収容部内から起き上がらせた時は、窓サッシを開けられる距離が制限され、弾性係止部材を収容部内に収納させた時は、窓サッシを開けられる距離に制限がなくなり、一般の窓サッシの機能と同じになる。
【０００３】
しかしながら、ストッパーの係止部材を収容部内から起き上がらせてさらにロックすることで子供が窓から転落することや泥棒が入ってくるのを防ぐことはできるものの、火災などの緊急事態が発生した際に問題が生じる。即ち、緊急事態が発生したときは、係止部材を収容部内に収容させ、窓サッシを全開にさせなければならないが、係止部材は、ロック部材によって制御されているため、係止部材を収容部内から起き上がらせる時も、収容部内に収容する時も、必ず鍵でロック部材をいちいち開錠しなければならず、使用上かなり不便である。しかも、子供が該ロック部材を簡単に解除できないようにその鍵を隠しておかなければならないが、緊急事態の時に鍵が見つからないことがあり、危険性をはらんでいる。
【先行技術文献】
【特許文献】
【０００４】
【特許文献１】台湾特許第Ｉ２８６５８６号明細書
【考案の概要】
【考案が解決しようとする課題】
【０００５】
そこで、本考案は、ロックの解除に鍵が不要なアルミサッシ窓のストッパーを提供することを目的とする。
【課題を解決するための手段】
【０００６】
本考案によるアルミサッシ窓のストッパーは、台座体と、係止部材と、押し部材と、ロック部材とによって構成する。台座体の中央には収容部が設けられ、収容部の隣には、収容部と連通する溝孔が設けられ、台座体の溝孔の底部の板体には、相互に連通する直線溝と円溝が設けられる。係止部材は、台座体の収容部内に枢設される。押し部材は、台座体の溝孔内に設けられ、押し部材には穿孔が設けられ、押し部材内の穿孔の下方には一対の弾性リブが設けられる。ロック部材は、押し部材の穿孔内に設けられ、ロック部材の底側は延伸して円柱体を形成し、円柱体の底端には、直線溝と円溝の間をスライドして移動するためのフラット部が設けられる。
【考案の効果】
【０００７】
本考案は、板状の物や銅板によってロックを解除することができるため、緊急事態が発生した時に、本考案の使用者は身につけている物品で素早くロックを解除でき、安全性が高い
【図面の簡単な説明】
【０００８】
【図１】本考案の実施例１の構造を示した分解図である。
【図２】本考案の実施例１の外観を示した斜視図である。
【図３】本考案の実施例１を使用した状態を示した説明図である。
【図４】本考案の実施例１を示した正面図である。
【図５】本考案の実施例１の係止部材を台座体に収容した状態を示した説明図である。
【図６】本考案の実施例１の係止部材を台座体から起き上がらせた状態を示した説明図である。
【図７】本考案の実施例１の係止部材をロックした状態を示した説明図である。
【図８】本考案の実施例１のロック部材をロックする動作を示した説明図である。
【図８ａ】本考案の実施例１のロック部材のロックが作動する過程を示した説明図である。
【図９】本考案の実施例２の構造を示した分解図である。
【図１０】本考案の実施例２の係止部材を台座体に収容した状態を示した説明図である。
【図１１】本考案の実施例２の係止部材を台座体から起き上がらせた状態を示した説明図である。
【図１２】本考案の実施例３の構造を示した分解図である。
【図１３】本考案の実施例３の外観を示した斜視図である。
【図１４】本考案の実施例３を使用した状態を示した説明図である。
【図１５】本考案の実施例３を示した正面図である。
【図１６】本考案の実施例３の係止部材を台座体に収容した状態を示した説明図である。
【図１７】本考案の実施例３の係止部材を台座体から起き上がらせた状態を示した説明図である。
【図１８】本考案の実施例３の係止部材をロックした状態を示した説明図である。
【図１９】本考案の実施例３のロック部材をロックする動作を示した説明図である。
【図１９ａ】本考案の実施例３のロック部材のロックが作動する過程を示した説明図である。
【図２０】本考案の実施例４の構造を示した分解図である。
【図２１】本考案の実施例４の係止部材を台座体に収容した状態を示した説明図である。
【図２２】本考案の実施例４の係止部材を台座体から起き上がらせた状態を示した説明図である。
【考案を実施するための形態】
【０００９】
（実施例１）
図１から図４に示すように、本考案の実施例１によるアルミサッシ窓のストッパー１構造は、台座体１０と、底板１５と、係止部材２０と、弾性体２２と、押し部材３０と、ロック部材４０とによって構成する。係止部材２０は、枢設部材２１によって台座体１０の収容部１１内に枢設される。本考案を、横に引く方式のアルミサッシ窓の外窓サッシ５１内側箇所に取り付けることにより、或いは網戸の内側に取り付け、係止部材２０を台座体１０から起き上がらせることにより、係止面２６によって内窓サッシ５０が開く距離が制限され（図３に図示）、泥棒が侵入するのを防ぐとともに、子供が窓から転落するのを防ぐことができる。
【００１０】
台座体１０には収容部１１が設けられる。本実施例における収容部１１の左側には、収容部１１と連通する溝孔１２が設けられ、溝孔１２の底部の板体には、相互に連通する直線溝１３と円溝１４が設けられる。また、台座体１０の底部には、底板１５が連結されるとともに、底板１５には、弾性体２２を位置決めするための凸柱１６が設けられる。
【００１１】
係止部材２０は、枢設部材２１によって台座体１０の収容部１１内に枢設される。係止部材２０の両側面には、貫通した枢設孔２３が設けられ、枢設部材２１を枢設孔２３と台座体上の孔１８に貫設することで、係止部材２０は収容部１１内に固定される。係止部材２０の一端（図においては、係止部材の右端）は、収容部１１内から起き上がらせることが可能な、或いは収容部１１内に収納させることが可能な係止側Ａであり、他端は当接側Ｂである。また、係止部材２０の係止側Ａの中央と当接側Ｂには、それぞれ弾性体収容溝２４ａ、２４ｂが設けられ、弾性体２２を取り付けることができる。また、係止側Ａの底部には当接部２５が設けられ、当接部の末端は傾斜平面２５ａを形成し、係止部材２０を収容部１１内から起き上がらせた時、当接部２５は台座体１０に当接し、係止部材２０の前端面に形成された係止面２６を利用して、窓サッシが開く距離を制限することができる。また、係止部材２０の当接側Ｂには粗い表面２７が設けられる。
【００１２】
また、本実施例における係止部材２０の当接側Ｂの端縁には二本の支持棒２８が設けられ、二本の支持棒２８の間には嵌合溝２９が設けられ、弾性体２２は、係止側Ａの弾性体収容溝２４ａ内に設けられる。以上の構造により、係止部材２０は弾性体２２の弾力を受けて、自動的に起き上がることができるようになる。
【００１３】
押し部材３０は、台座体１０の溝孔１２内（即ち、係止部材の当接側）に設けられ、その頂部には、粗い表面をもつ凸ブロック３１が設けられ、凸ブロック３１上には穿孔３２が設けられ、穿孔３２の下方には、一対の弾性リブ３３が設けられるとともに、穿孔３２の後方には、凸柱３４が設けられる。凸柱３４にはバネ３５が嵌合されて推力が生じ、それにより、押し部材３０は、常に押されて係止部材２０の当接側Ｂに当接する。また、押し部材３０の前端の下縁には斜面３６及び突起部材３７が設けられるとともに、押し部材３０の上縁には斜面ブロック３８が設けられる。
【００１４】
ロック部材４０は、押し部材３０の穿孔３２内に貫設されるとともに、下に延伸して円柱体４１を形成する。円柱体４１の上方には、押し部材３０の弾性リブ３３に挟まれる挟溝４２が設けられ、円柱体４１の下方はフラット部４３を形成し、フラット部４３により、ロック部材４０は台座体１０の溝孔１２内に設けられた直線溝１３と円溝１４の間をスライドすることができる（図４に図示）。また、台座体１０を貫通した円柱体４１の端部には固定部材４４が設けられ、それにより、押し部材３０とロック部材４０を一緒に台座体１０の溝孔１２内に取り付けることができる。なお、図９に示すように、ロック部材４０の固定部材４４は、円柱体４１の底端に一体成型させることもできる。その場合、固定部材４４の周縁には、傾斜した凸縁４５が設けられ、固定部材４４は、傾斜した凸縁４５によって、押し部材３０の穿孔３２内に直接嵌入され、固定部材４４は円溝１４を通過した後、固定される（図１０に図示）。
【００１５】
図４〜図７は、実施例１を使用したときの動作を示している。弾性体２２は、係止部材２０の係止側Ａ底端に設けられるため、弾性体２２の弾性力は、押し部材３０の後方のバネ３５の弾性力より小さい。従って、係止部材２０が台座体１０に収容されている時、バネ３５の弾力によって、押し部材３０前端の斜面ブロック３８は係止部材２０の支持棒２８に当接して固定される（図５に図示）。また、この時、ロック部材４０はロックされていない状態であるため、押し部材３０を、直線溝１３の方向に移動させることができる（図４に図示）。係止部材２０を台座体１０内から起き上がらせたい時は、手動で押し部材３０を後方に動かして斜面ブロック３８を支持棒２８の末端から離すと、弾性体２２によって係止部材２０が起き上がる。或いは、係止部材２０の当接側Ｂの粗い表面２７を直接押すと、押し部材３０は後方に移動し、その後、弾性体２２によって係止部材２０が起き上がる。この時、係止部材２０端側の嵌合溝２９は突起部材３７に対応する位置まで下がるため（図６に図示）、押し部材３０から手を離した後に押し部材３０がバネ３５の弾性回復力によって元の位置に戻り、突起部材３７は嵌合溝２９内に嵌合し（図７に図示）、係止部材２０は固定される。そして、係止部材２０の突出した係止面２６によって、窓サッシの開けられる距離を制限することができる。
【００１６】
また、本考案の係止部材２０の係止側Ａ及び当接側Ｂには、それぞれ弾性体収容溝２４ａ、２４ｂが設けられており、実施例１においては、弾性体２２は、係止側Ａの弾性体収容溝２４ａ内に設けられている。この場合、本考案を使用する際、押し部材３０を後方に移動させると、係止部材２０は自動的に起き上がる。また、弾性体２２を係止部材２０の当接側Ｂの弾性体収容溝２４ｂ内に取り付けた場合は、本考案を使用する際、押し部材３０を後方に移動させると、係止部材２０は自動的に台座体１０に収容される。このように、弾性体２２を設ける場所によって動作が異なるものの、使用上の機能は完全に同じである。
【００１７】
図４、図８、図８ａは、本考案のロック部材４０をロックする際の動作を示した図である。係止部材２０を台座体１０から起き上がらせた時、押し部材３０に連動してロック部材４０も係止部材２０の方向に移動する。この時、ロック部材４０の下方のフラット部４３と溝孔１２底部の直線溝１３は平行であり（図４に図示）、ロック部材４０は、直線溝１３をスライドして円溝１４内まで移動した後、回転させられ、フラット部４３と直線溝１３は垂直になりロックされる（図８に図示）。ロック部材４０がロックされた状態だと、押し部材３０も移動させることができなくなるため、本考案のロック部材４０は、窓から泥棒が入ってくるのを防ぐことができる効果がある以外にも、子供が押し部材３０を触って窓のストッパーが解除されて墜落事故が発生するのを防ぐ効果もある。また、ロック部材４０は、板状の物や銅板によってロックを解除することができるため、緊急事態が発生した時に、本考案の使用者は身につけている物品で素早くロックを解除でき、安全性が高い。
【００１８】
また、図８ａに示すように、ロック部材４０の挟溝４２は、押し部材３０の弾性リブ３３によって挟まれて固定されているため、ロック部材４０は、きつく固定された状態で押し部材３０内に設けられている。それにより、使用者がロック部材４０を回転させる時は、相当強い力を入れないと回転させることはできず、ロック部材４０が自動的に緩んで誤動作を起こすようなことは生じない上、ロック部材４０を回転させた後に弾性リブ３３の回復力によってロック部材４０は元の位置にまで戻る。
【００１９】
（実施例２）
図９、図１０は、本考案の実施例２によるストッパー１の構造を示している。本考案の実施例２によるストッパー１の構造は、実施例１（図１に図示）と基本的に同じであるが、以下の点が異なる。係止部材２０の底面に設けられた弾性体はコイルスプリング２２ａであり、コイルスプリング２２ａは枢設部材２１に取り付けられる。コイルスプリング２２ａは、図に示すように、開口が右側を向くように設置されているため、係止部材２０には、常に上に向かって押される作用が生じ、本考案を使用する時、係止部材２０は自動的に起き上がる。また、コイルスプリング２２ａを、開口が左側を向くように設置した場合、本考案を使用する時、係止部材２０は自動的に台座体１０に収容される。係止部材２０端側の二本の支持棒２８には係止溝２８ａが設けられ、押し部材３０前端の下縁の斜面３６上には突出した係止部３６ａが設けられ、係止部３６ａの上縁には、係止部材２０の支持棒２８に嵌合される嵌合溝３９が設けられる。押し部材３０に穿設されるロック部材４０の円柱体４１底端には、外に広がる凸縁４５が設けられ、台座体１０の溝孔１２底部の円溝１４の周縁には、複数の溝１７が設けられる。ロック部材４０の凸縁４５を円溝１４内に強制的に嵌めこむことにより、押し部材３０とロック部材４０は台座体の溝孔１２内に固定される。
【００２０】
図１０、図１１に示すように、係止部材２０が台座体内に収容されている時、後方のバネ３５の弾力により、押し部材３０の嵌合溝３９は係止部材２０の支持棒２８に嵌合し、突起部材３７も係止部材２０端部の底縁に当接し、それにより、係止部材２０の外部は平坦面を呈する（図１０に図示）。係止部材２０を台座体１０内から起き上がらせたい時は、押し部材３０を後方に移動させ、突起部材３７と嵌合溝３９を係止部材２０から離すと、係止部材２０は、開放された状態になってコイルスプリング２２ａにより係止部材２０は自動的に起き上がり、ストッパーを形成する。そして、押し部材３０を手放すと、押し部材３０は元の位置に戻り、突起部材３７は係止部材２０の嵌合溝２９内に嵌合し、それと同時に、押し部材３０前端の下縁に設けられた斜面３６も係止部材２０の支持棒２８の頂面に当接し、それにより係止部材２０は固定された状態になる（図１１に図示）。また、本実施例において、押し部材３０の斜面３６には係止部３６ａが設けられ、支持棒２８の係止溝２８ａに係止される。従って、係止部材２０の係止側が、外力によって下方向に押された時でも、係止部材２０は固定されていて動かず、押し部材２０も後ろに移動することはない。
【００２１】
（実施例３）
図１２から図１５は、本考案の実施例３によるストッパー１の構造を示している。本考案の実施例３の台座体１０には収容部１１が設けられ、収容部１１の隣には、収容部１１と連通する溝孔１２が設けられる。本実施例においては、溝孔１２は収容部１１の右側に設けられ、溝孔１２の底部には、相互に連通する直線溝１３と円溝１４が設けられる。座体１０の底部には底板１５が連結され、底板１５には、弾性体２２を位置決めするための凸柱１６が設けられる。また、係止部材２０の両側面には貫通した枢設孔２３が設けられ、枢設部材２１を枢設孔２３に貫設することによって、係止部材２０は、台座体１０の収容部１１内に枢設される。係止部材２０の一端は、収容部１１内から起き上がらせることが可能な、或いは収容部１１内に収納させることが可能な係止側Ａ（図では係止部材の右側端）であり、他端は当接側Ｂである。係止部材２０の係止側Ａ中央と当接側Ｂには、それぞれ、弾性体２２を取り付けるための弾性体収容溝２４ａ、２４ｂが設けられ、係止側Ａの底部には当接部２５が設けられ、当接部２５の末端は傾斜平面２５ａを形成する。係止部材２０を収容部１１内から起き上がらせた時、当接部２５は台座体１０に当接し、係止部材２０の前端面に形成された係止面２６（図１３に図示）を利用して、窓サッシ５０、５１が開く距離を制限することができる（図１４に図示）。また、係止部材２０の当接側Ｂには粗い表面２７が設けられる。
【００２２】
押し部材３０は、台座体１０の溝孔１２内（即ち、係止部材の係止側）に設けられ、押し部材３０の頂部には、粗い表面をもつ凸ブロック３１が設けられ、凸ブロック３１には穿孔３２が設けられる。穿孔３２の下方には一対の弾性リブ３３が設けられるとともに、穿孔３２の後方には凸柱３４が設けられる。凸柱３４にはバネ３５が嵌合されて推力を形成し、それにより、押し部材３０は常に押されて係止部材２０の係止側Ａに当接する。押し部材３０前端の下縁には、係止部材２０の係止側Ａの末端縁の傾斜平面２５ａと対応する斜面３６ｂが設けられる。ロック部材４０は、押し部材３０の穿孔３２内に穿設され、その構造は実施例１と同じである。即ち、ロック部材４０の下方は延伸して円柱体４１を形成し、円柱体４１の上方は、押し部材３０の弾性リブ３３に挟まれる挟溝４２を形成し、円柱体４１の底部はフラット部４３を形成し、それにより、ロック部材４０は、台座体１０溝孔１２内に設けられた直線溝１３と円溝１４間をスライドすることができる（図１５に図示）。また、台座体１０を貫通した円柱体４１の端部には固定部材４４が設けられ、それにより、押し部材３０とロック部材４０を一緒に台座体１０の溝孔１２内に取り付けることができる。
【００２３】
図１６から図１８は、実施例３を使用したときの動作を示した図である。図１６に示すように、係止部材２０が台座体内に収容されている時、押し部材３０の斜面３６ｂが係止部材２０の傾斜平面２５ａに当接することで、係止部材２０の外部を平坦面に保つ。また、使用者が押し部材３０を動かしてその斜面３６ｂを係止部材２０の傾斜平面２５ａから離すと、係止部材２０は自動的に起き上がる（図１７に図示）。或いは、係止部材２０の粗い表面２７を直接下に押すと、傾斜平面２５ａは押し部材３０を後ろへバックさせ、それにより、係止部材２０は自動的に起き上がる。そして、係止部材２０の当接部２５が台座体１０に当接した時、押し部材３０は、バネ３５に押されることで元の位置に戻り当接部２５下端に嵌合し（図１８に図示）、固定される。また、使用者は、押し部材３０のロック部材４０を利用して、押し部材３０を動かせないようにロックすることができる。
【００２４】
図１５、図１９、図１９ａは、本考案のロック部材４０をロックする際の動作を示した図である。係止部材２０を台座体１０から起き上がらせた時、押し部材３０に連動してロック部材４０も係止部材２０の方向へ移動する。この時、ロック部材４０下方のフラット部４３と溝孔１２底部の直線溝１３は平行であり（図１５に図示）、ロック部材４０は、直線溝１３をスライドして円溝１４内まで移動した後、回転させられ、フラット部４３と直線溝１３は垂直になりロックされる（図１９に図示）。ロック部材４０がロックされた状態だと、押し部材３０も移動させることができなくなるため、本考案のロック部材４０は、窓から泥棒が入ってくるのを防ぐことができる効果がある以外にも、子供が押し部材３０を触って窓のストッパーが解除されて墜落事故が発生するのを防ぐ効果もある。また、ロック部材４０は、板状の物や銅板によってロックを解除することができるため、緊急事態が発生した時に、本考案の使用者は身につけている物品で素早くロックを解除でき、安全性が高い。
【００２５】
（実施例４）
図２０、図２１は、本考案の実施例４によるストッパー１構造を示している。本考案の実施例４によるストッパー１の構造は、実施例１（図１に図示）と基本的に同じであるが、以下の点が異なる。係止部材２０底面に設けられた弾性体はコイルスプリング２２ｂであり、コイルスプリング２２ｂは枢設部材２１に枢設され、コイルスプリング２２ｂの両側の脚部２２ｃは、台座体１０の側壁の孔１９に枢設され、コイルスプリング２２ｂは、図に示すように、開口が右側を向くように設置されているため、係止部材２０には、常に上に向かって押される作用が生じ、本考案を使用する時、係止部材２０は自動的に起き上がる。また、コイルスプリング２２ｂを、開口が左側を向くように設置した場合、本考案を使用する時、係止部材２０は自動的に台座体１０に収容される。コイルスプリング２２ｂの両側の脚部２２ｃは台座体１０に固定されるため、底板１５を設ける必要はない。
【符号の説明】
【００２６】
１    ストッパー
１０    台座体                
１１    収容部
１２    溝孔                
１３    直線溝
１４    円溝                
１５    底板
１６    凸柱                
１７    溝
１８    孔                  
１９    孔
２０    係止部材              
２１    枢設部材
２２    弾性体              
２２ａ、２２ｂ    コイルスプリング
２２ｃ    脚部
２３    枢設孔                
２４ａ、２４ｂ    弾性体収容溝
２５    当接部                
２５ａ  傾斜平面
２６    係止面              
２７    粗い表面
２８    支持棒                
２８ａ  係止溝
２９    嵌合溝
３０    押し部材                
３１    凸ブロック
３２    穿孔                
３３    弾性リブ
３４    凸柱                
３５    バネ
３６、３６ｂ    斜面            
３６ａ    係止部
３７    突起部材                
３８    斜面ブロック
３９    嵌合溝
４０    ロック部材                
４１    円柱体
４２    挟溝                
４３    フラット部
４４    固定部材              
４５    傾斜した凸縁
５０    内窓サッシ              
５１    外窓サッシ
【図１】
0003161724.tif 000003
【図２】
0003161724.tif 000004
【図３】
0003161724.tif 000005
【図４】
0003161724.tif 000006
【図５】
0003161724.tif 000007
【図６】
0003161724.tif 000008
【図７】
0003161724.tif 000009
【図８】
0003161724.tif 000010
【図８ａ】
0003161724.tif 000011
【図９】
0003161724.tif 000012
【図１０】
0003161724.tif 000013
【図１１】
0003161724.tif 000014
【図１２】
0003161724.tif 000015
【図１３】
0003161724.tif 000016
【図１４】
0003161724.tif 000017
【図１５】
0003161724.tif 000018
【図１６】
0003161724.tif 000019
【図１７】
0003161724.tif 000020
【図１８】
0003161724.tif 000021
【図１９】
0003161724.tif 000022
【図１９ａ】
0003161724.tif 000023
【図２０】
0003161724.tif 000024
【図２１】
0003161724.tif 000025
【図２２】
0003161724.tif 000026